(57)【要約】      （修正有）【課題】外部バッテリーとプリンター本体との接続が不良となった場合でも、プリンター本体への電力の供給がが可能な電子機器を提供する。【解決手段】プリンター１（電子機器）は、電力が供給されて動作する動作部を内部に備える筐体２と、筐体２内に設けられる第１バッテリーと、筐体２の外側に着脱可能な第２バッテリー２０と、を備える。筐体２に設けられ、商用電源から電力を供給する電源アダプター４０のプラグ４１を接続可能な第１接続部１６は、第２バッテリー２０の装着状態と、非装着状態と、の双方においてプラグ４１を接続可能な位置に配置される。第２バッテリー２０に設けられ、電源アダプター４０のプラグ４１を接続可能な第２接続部は、第２バッテリー２０の装着状態においてプラグ４１の接続が妨げられる位置に配置される。【選択図】図２
2020072520.tif 000002
【特許請求の範囲】
【請求項１】
電力が供給されて動作する動作部を内部に備える筐体と、
前記筐体内に設けられ、前記動作部に給電可能な第１バッテリーと、
前記筐体の外側に着脱可能に構成され、装着状態で前記動作部に給電可能な第２バッテリーと、を備え、
前記筐体に設けられ、商用電源から電力を供給する電源アダプターのプラグを接続可能な第１接続部は、前記第２バッテリーの前記装着状態と、非装着状態と、の双方において前記プラグを接続可能な位置に配置され、
前記第２バッテリーに設けられ、前記電源アダプターの前記プラグを接続可能な第２接続部は、前記第２バッテリーの前記装着状態において前記プラグの接続が妨げられる位置に配置される、
ことを特徴とする電子機器。
【請求項２】
請求項１に記載の電子機器において、
前記第２バッテリーは、前記筐体の一つの側面に対して接続される接続面を備え、前記第２接続部は前記接続面に設けられている、
ことを特徴とする電子機器。
【請求項３】
請求項１または請求項２に記載の電子機器において、
前記電源アダプターの前記プラグが前記第１接続部に接続されている場合に、前記第１バッテリーに充電を行う第１充電状態と、前記第２バッテリーに充電を行う第２充電状態と、を切り換え可能に構成され、
前記第１バッテリーと前記第２バッテリーとの双方が充電を要する充電容量である場合に、前記第２充電状態よりも優先して前記第１充電状態に切り換えられる、
ことを特徴とする電子機器。
【請求項４】
請求項３に記載の電子機器において、
前記第２バッテリーは、前記第２バッテリーの充電状況を表示する表示手段を備える、
ことを特徴とする電子機器。
【請求項５】
請求項４に記載の電子機器において、
前記筐体側に設けられ、前記第１バッテリーと前記第２バッテリーとの双方の充電状況を表示可能な第１表示手段を備え、
前記第２バッテリーに設けられる前記表示手段である第２表示手段は、前記第２バッテリーの前記装着状態において視認不可能である位置に配置される、
ことを特徴とする電子機器。
【請求項６】
請求項１から請求項５のいずれか一項に記載の電子機器において、
前記第２バッテリーは、前記筐体に設けられる端子接続部に接続される充電端子を備え、
前記充電端子は、当該充電端子を前記端子接続部に接続する際の差し込み方向と交差する方向に変位可能に取り付けられている、
ことを特徴とする電子機器。
【発明の詳細な説明】
【技術分野】
【０００１】
本発明は、内蔵バッテリーと外部バッテリーとの双方を備える電子機器に関する。
【背景技術】
【０００２】
モバイルタイプの電子機器には、商用電源がない屋外でも使用できるように、機器の本体に対して着脱可能な充電式の外部バッテリーを備えるものがある。このような電子機器は、商用電源のコンセントから電源アダプターを介して電力を供給することも可能に構成されている。  
そして、電源アダプターのプラグを接続するジャックが機器本体と外部バッテリーとの双方に設けられており、外部バッテリーを装着しない機器本体に電源アダプターを接続して電力を供給する場合と、外部バッテリーを機器本体に装着した状態で電源アダプターを接続し、外部バッテリーに充電を行いつつ機器本体に電力を供給する場合と、に対応可能に構成されているものがある。
【０００３】
特許文献１には、このような電子機器の一例としてインクジェットプリンターが開示されている。尚、電子機器としては、プリンターに代表される記録装置の他、例えばスキャナーに代表される画像読取装置が挙げられる。
【０００４】
また、機器本体は、内部に充電式の内蔵バッテリーを備え、電源アダプターも外部バッテリーも接続することなく機器本体のみで使用可能に構成される場合がある。
【先行技術文献】
【特許文献】
【０００５】
【特許文献１】特開２００４−２２９４４９号公報
【発明の概要】
【発明が解決しようとする課題】
【０００６】
特許文献１に記載のインクジェットプリンターにおいて、外部バッテリーを機器本体としてのプリンター本体に装着すると、プリンター本体側ジャックが外部バッテリーの一部で隠される。このことにより、外部バッテリーをプリンター本体に装着した状態では、外部バッテリー側ジャックにのみ電源アダプターが接続可能になっている。
【０００７】
このような構成では、何らかの理由により外部バッテリーとプリンター本体との接続が不良となった場合に、プリンター本体への電力の供給が行われない。  
外部バッテリーとプリンター本体との接続が不良となると、特許文献１に記載のプリンターのように内蔵バッテリーを備えない電子機器においては電源が入らないので、接続不良にすぐ気付くことができる。しかし、外部バッテリーと内蔵バッテリーの双方を備える構成を考えると、外部バッテリー側ジャックに電源アダプターを接続した状態で外部バッテリーとプリンター本体との接続が不良であっても、内蔵バッテリーによってプリンター本体が動作可能であるので、ユーザーは接続不良に気付きにくい。このため、気づかないうちに内蔵バッテリーを消費し、その状態からプリンターを商用電源のない環境に持って行き、動作させようとしたときに、内蔵バッテリーの充電容量が足りなくなる虞がある。  
その際、ユーザーが外部バッテリーを携帯していれば、外部バッテリーを使ってプリンターを動作させることができるが、外部バッテリーは外付け部材であるので、携帯忘れや紛失の虞があり、その場合は必要なだけプリンターを動作させることができない虞がある。
【課題を解決するための手段】
【０００８】
上記課題を解決する本発明の電子機器は、電力が供給されて動作する動作部を内部に備える筐体と、前記筐体内に設けられ、前記動作部に給電可能な第１バッテリーと、前記筐体の外側に着脱可能に構成され、装着状態で前記動作部に給電可能な第２バッテリーと、を備え、前記筐体に設けられ、商用電源から電力を供給する電源アダプターのプラグを接続可能な第１接続部は、前記第２バッテリーの前記装着状態と、非装着状態と、の双方において前記プラグを接続可能な位置に配置され、前記第２バッテリーに設けられ、前記電源アダプターの前記プラグを接続可能な第２接続部は、前記第２バッテリーの前記装着状態において前記プラグの接続が妨げられる位置に配置される、ことを特徴とする。
【図面の簡単な説明】
【０００９】
【図１】第１実施形態に係る電子機器としてのプリンターの外観斜視図。
【図２】図１に示すプリンターを図１とは別角度から見た外観斜視図。
【図３】プリンターにおいて、カバー部材を開いた状態を示す斜視図。
【図４】プリンターの概略側断面図。
【図５】図１に示すプリンターの筐体から第２バッテリーを外した状態を示す図。
【図６】図５の要部拡大斜視図。
【図７】筐体に対して非装着状態の第２バッテリーを示す外観斜視図。
【図８】第２バッテリーのバッテリーカバーを外した状態を示す平面図。
【図９】第２バッテリーの充電端子周辺の拡大斜視図。
【図１０】第２バッテリーのロック部材周辺の拡大斜視図。
【図１１】第２バッテリーの筐体への取り付けについて説明する斜視図。
【図１２】筐体の端子接続部と第２バッテリーの充電端子とが接続された状態を示す側断面図。
【発明を実施するための形態】
【００１０】
以下、本発明について概略的に説明する。  
第１の態様に係る電子機器は、電力が供給されて動作する動作部を内部に備える筐体と、前記筐体内に設けられ、前記動作部に給電可能な第１バッテリーと、前記筐体の外側に着脱可能に構成され、装着状態で前記動作部に給電可能な第２バッテリーと、を備え、前記筐体に設けられ、商用電源から電力を供給する電源アダプターのプラグを接続可能な第１接続部は、前記第２バッテリーの前記装着状態と、非装着状態と、の双方において前記プラグを接続可能な位置に配置され、前記第２バッテリーに設けられ、前記電源アダプターの前記プラグを接続可能な第２接続部は、前記第２バッテリーの前記装着状態において前記プラグの接続が妨げられる位置に配置される、ことを特徴とする。
【００１１】
本態様によれば、前記筐体に設けられ、商用電源から電力を供給する電源アダプターのプラグを接続可能な第１接続部は、前記第２バッテリーの前記装着状態と、非装着状態と、の双方において前記プラグを接続可能な位置に配置され、前記第２バッテリーに設けられ、前記電源アダプターの前記プラグを接続可能な第２接続部は、前記第２バッテリーの前記装着状態において前記プラグの接続が妨げられる位置に配置されるので、前記第２バッテリーが前記装着状態である場合に前記第２接続部に前記電源アダプターの前記プラグが接続されることを防止し、前記第１接続部に前記電源アダプターの前記プラグが接続される構成とすることができる。
【００１２】
このことにより、前記第２バッテリーの前記筐体に対する装着が不完全であった場合に、前記第１バッテリーが不用意に消費される虞を回避できる。  
その為、商用電源のない環境で装置を使用する際に、外付け部材としての前記第２バッテリーの携帯を忘れたり紛失したりした場合でも、充電された前記第１バッテリーによって装置を動作させることができる。  
尚、本構成においては、前記第２バッテリーの前記筐体に対する装着が不完全であった場合、前記第２バッテリーが充電されず、前記第２バッテリーを使用できない虞がある。しかし、逆の場合つまり前記第１バッテリーが充電されない場合は、商用電源のない環境で装置を使用するには外付け部材としての前記第２バッテリーが絶対必要となる。上述したように外付け部材としての前記第２バッテリーは携帯忘れや紛失の虞があるため、前記第１バッテリーを前記第２バッテリーより優先させることは、ユーザーの使い勝手に資することとなる。
【００１３】
第２の態様は、第１の態様において、前記第２バッテリーは、前記筐体の一つの側面に対して接続される接続面を備え、前記第２接続部は前記接続面に設けられている、ことを特徴とする。
【００１４】
本態様によれば、前記第２バッテリーは、前記筐体の一つの側面に対して接続される接続面を備え、前記第２接続部は前記接続面に設けられているので、前記第２バッテリーが前記装着状態のときに前記第２接続部への前記プラグの接続を妨げる構成を容易に実現できる。
【００１５】
第３の態様は、第１の態様または第２の態様において、前記電源アダプターの前記プラグが前記第１接続部に接続されている場合に、前記第１バッテリーに充電を行う第１充電状態と、前記第２バッテリーに充電を行う第２充電状態と、を切り換え可能に構成され、前記第１バッテリーと前記第２バッテリーとの双方が充電を要する充電容量である場合に、前記第２充電状態よりも優先して前記第１充電状態に切り換えられる、ことを特徴とする。
【００１６】
本態様によれば、前記第２充電状態よりも優先して前記第１充電状態に切り換えられるので、商用電源のない環境で装置を使用する際に、外付け部材としての前記第２バッテリーの携帯を忘れたり紛失したりした場合でも、より確実に、充電された前記第１バッテリーによって装置を動作させることができる。
【００１７】
第４の態様は、第３の態様において、前記第２バッテリーは、前記第２バッテリーの充電状況を表示する表示手段を備える、ことを特徴とする。
【００１８】
本態様によれば、前記第２バッテリーは、前記第２バッテリーの充電状況を表示する表示手段を備えるので、例えば、前記第２バッテリーへ充電中、或いは充電の完了等の充電状況を容易に視認することができる。
【００１９】
第５の態様は、第４の態様において、前記筐体側に設けられ、前記第１バッテリーと前記第２バッテリーとの双方の充電状況を表示可能な第１表示手段を備え、前記第２バッテリーに設けられる前記表示手段である第２表示手段は、前記第２バッテリーの前記装着状態において視認不可能である位置に配置される、ことを特徴とする。
【００２０】
本態様によれば、前記第２バッテリーに設けられる前記表示手段である第２表示手段は、前記第２バッテリーの前記装着状態において視認不可能である位置に配置されるので、前記第２バッテリーが前記装着状態で充電される場合には、前記第１表示手段によって前記第２バッテリーの充電状況を把握することができる。また、前記第２バッテリーの前記非装着状態で充電される場合には、前記第２表示手段によって前記第２バッテリーの充電状況を把握することができる。
【００２１】
第６の態様は、第１の態様から第５の態様のいずれかにおいて、前記第２バッテリーは、前記筐体に設けられる端子接続部に接続される充電端子を備え、前記充電端子は、当該充電端子を前記端子接続部に接続する際の差し込み方向と交差する方向に変位可能に取り付けられている、ことを特徴とする。
【００２２】
本態様によれば、前記第２バッテリーに設けられる前記充電端子が、当該充電端子を前記端子接続部に接続する際の差し込み方向と交差する方向に変位可能に取り付けられているので、例えば、前記充電端子と前記端子接続部とを接続後、電子機器に衝撃が加わる等により前記第２バッテリーががたついた場合に、前記充電端子ががたつきを吸収し、前記充電端子が前記端子接続部にダメージを与える虞を低減できる。
【００２３】
［第１実施形態］
本発明に係る「電子機器」の一例としてのインクジェットプリンター１（以下、単にプリンター１と称する）について図を参照して説明する。プリンター１は媒体に記録を行う記録装置である。以下において、プリンター１の概略について説明する。  
尚、各図において示すＸ−Ｙ−Ｚ座標系は、Ｘ方向を装置幅方向とし、Ｙ方向を装置奥行き方向とし、Ｚ方向を装置高さ方向とする。また、＋Ｙ方向を装置前方とし、−Ｙ方向側を装置後方とする。また、重力方向、すなわち、−Ｚ方向を下方、その反対である＋Ｚ方向を上方という。
【００２４】
＜＜＜プリンターの概略＞＞＞
図１に示すプリンター１は、図４に示す記録ヘッド１０、給送手段８、搬送手段９等の媒体に記録を実行するための構成部を内部に備える筐体２を備え、その外観が箱型形状に構成されている。図４に示す筐体２の内部に設けられる記録ヘッド１０、給送手段８、搬送手段９等は、電力が供給されて動作する動作部である。
【００２５】
プリンター１は、筐体２に対して回動することにより開閉するカバー部材３を備えている。カバー部材３は、図１に示すように閉じた状態においてプリンター１の上面及び前面の一部を構成する。カバー部材３は、筐体２の装置後方に回動軸を有し、筐体２に対して装置前方（図１における＋Ｙ方向）から装置後方（図１における−Ｙ方向）へ向けて回動させると、図３に示す開いた姿勢となる。本実施形態では、カバー部材３が図３に示す筐体２に対して開いた姿勢にある際、カバー部材３の内面は、媒体Ｐの載置面３ａとして機能する。
【００２６】
また、カバー部材３が図１に示す閉じた姿勢から図３に示す開いた姿勢に変化すると、筐体２の上部には操作部４と、媒体供給部５とが露出し、筐体２の前面には排出部６が露出する。操作部４は、プリンター１を操作するための電源ボタンや印刷設定ボタン、表示パネル等を備えて構成されている。
【００２７】
媒体供給部５は、カバー部材３の載置面３ａに媒体Ｐが載置された際、載置面３ａから筐体２内の記録ヘッド１０による記録領域に向けて媒体Ｐを供給する。また、排出部６は、載置面３ａから媒体供給部５を介して筐体２内に供給された媒体Ｐが、後述する記録ヘッド１０により記録が実行された状態で装置前面に排出されることを許容する。
【００２８】
図４に示すプリンター１において、載置面３ａに載置された媒体Ｐは、媒体供給部５から給送手段８および搬送手段９により記録ヘッド１０の下方に送られる。そして、記録ヘッド１０から液体としてのインクが媒体Ｐに吐出されて、媒体Ｐへの記録が行われるように構成されている。
【００２９】
記録ヘッド１０は、図４において媒体Ｐの搬送方向と交差する幅方向であるＸ軸方向に往復移動するキャリッジ１１に設けられている。記録ヘッド１０は、液体吐出面１０ａに設けられた不図示のノズル列からインクを吐出する。  
キャリッジ１１には、媒体Ｐに記録を行うためのインクを記録ヘッド１０に供給するためのインクカートリッジ１２が搭載されている。
【００３０】
図４に示す記録ヘッド１０の下方には、記録ヘッド１０と対向する記録領域において媒体Ｐを支持する支持部材１３が設けられており、支持部材１３に支持される媒体Ｐに対して記録ヘッド１０の液体吐出面１０ａからインクを吐出することによって記録が実行される。記録後の媒体Ｐは、筐体２の前面に設けられた排出部６（図３も参照）から排出される。
【００３１】
プリンター１は、筐体２内に設けられる支持される（図４）と、筐体２の外側に設けられる第２バッテリー２０（図１）とを備えている。第１バッテリー１５及び第２バッテリー２０は、記録ヘッド１０、給送手段８、搬送手段９等の動作部に給電可能な充電池である。第２バッテリー２０は筐体２の外側に着脱可能に構成され、図１に示す装着状態で動作部に給電する。第２バッテリー２０は、筐体２の一つの側面に対して着脱される。本実施形態においては、図２に示すように筐体２の後方の側面２ｂ、すなわち背面に対して着脱される。尚、図５には、第２バッテリー２０が外された状態の筐体２が示されている。言い換えると、第１バッテリー１５は内蔵バッテリーであり、第２バッテリー２０は外付けバッテリーである。筐体２に対して第２バッテリー２０を着脱する具体的な構成については後で説明する。
【００３２】
図２に示すように、プリンター１の筐体２の＋Ｘ方向の側面２ａには、電源アダプター４０のプラグ４１を接続可能な第１接続部１６が設けられている。電源アダプター４０は、例えば室内の商用電源用コンセント４３に接続されて、商用電源から電力を供給するＡＣアダプターである。電源アダプター４０にはケーブル４２が接続されている。ケーブル４２は一端が電源アダプター４０と接続され、他端には第１接続部１６に挿入されるプラグ４１が設けられている。第１接続部１６は、商用電源の交流（ＡＣ）を電源アダプター４０を介して直流（ＤＣ）に変換するＤＣジャックである。  
尚、筐体２の側面２ａには、第１接続部１６と隣接してＵＳＢケーブル接続部１７が設けられている。
【００３３】
第１接続部１６にプラグ４１が接続され、電源アダプター４０を介して電力が供給されると、筐体２内の記録ヘッド１０、給送手段８、搬送手段９等の動作部が駆動可能になる。  
また、プリンター１は、電源アダプター４０のプラグ４１が第１接続部１６に接続されている場合に、第１バッテリー１５に充電を行う第１充電状態と、第２バッテリー２０に充電を行う第２充電状態と、を切り換え可能に構成されている。つまり、第１接続部１６からの給電により、第１バッテリー１５への充電と、第２バッテリー２０への充電とを行うことができる。第１充電状態と第２充電状態との切り換えについては後で詳しく説明する。
【００３４】
第１接続部１６は、図２に示す第２バッテリー２０の装着状態と、図５に示す非装着状態と、の双方においてプラグ４１を接続可能な位置に配置されている。言い換えると、第１接続部１６は、図２に示す第２バッテリー２０の装着状態と、図５に示す非装着状態と、の双方において、プラグ４１を挿入するためにアクセス可能な状態で露呈している。
【００３５】
また、図７に示す第２バッテリー２０には、第２バッテリー２０のプラグ４１（図２）を接続可能な第２接続部２１が設けられている。第２接続部２１も第１接続部１６と同じくＤＣジャックである。第２接続部２１は、図１、図２に示す第２バッテリー２０の装着状態においてプラグ４１（図２）の接続が妨げられる位置に配置されている。つまり、第２接続部２１は、第２バッテリー２０を筐体２に対して装着した場合に、プラグ４１を挿入するためにアクセス不可能な位置に設けられている。
【００３６】
より具体的には、図７に示す第２バッテリー２０は、筐体２の後方の側面２ｂ（図５）に対して接続される接続面２２を備え、第２接続部２１は接続面２２に設けられている。  
第２接続部２１が接続面２２に設けられていることにより、第２バッテリー２０を筐体２に対して装着状態にした場合に、第２接続部２１を視認不可能、或いは視認し難い状態にすることができる。以って、図２に示す第２バッテリー２０の装着状態において、第２接続部２１にプラグ４１を接続させない構成とすることができる。  
尚、第２バッテリー２０の装着状態において、接続面２２と筐体２の側面２ｂとの間には、プラグ４１が入らない程度の隙間があってもよい。
【００３７】
以上のように、プリンター１において、筐体２に設けられる第１接続部１６が、第２バッテリー２０の装着状態（図２）と非装着状態（図５）との双方においてプラグ４１を接続可能な位置に配置され、第２接続部２１が、第２バッテリー２０の装着状態（図２）においてプラグ４１の接続が妨げられる位置に配置されていることにより、第２バッテリー２０が装着状態である場合に第２接続部２１に電源アダプター４０のプラグ４１が接続されることを防止し、第１接続部１６に電源アダプター４０のプラグ４１が接続される構成とすることができる。
【００３８】
例えば、第２バッテリー２０の装着状態において、第２接続部２１へのプラグ４１の接続が可能であると、筐体２に対する装着が不完全な状態の第２バッテリー２０の第２接続部２１にプラグ４１が接続された状態でプリンター１が使用され、第１バッテリー１５が不用意に消費される虞がある。  
しかし、本実施形態の上記構成では、第２バッテリー２０の装着状態（図２）と非装着状態（図５）とのいずれの場合においても、第１接続部１６に電源アダプター４０のプラグ４１が接続されるので、前述のように第２バッテリー２０の筐体２に対する装着が不完全であった場合でも、電源アダプター４０を介しての給電が行われる。したがって、第１バッテリー１５が不用意に消費される虞を回避できる。
【００３９】
その為、商用電源のない環境、例えば屋外等で装置を使用する際に、外付け部材としての第２バッテリー２０の携帯を忘れたり紛失したりした場合でも、充電された第１バッテリー１５によって装置を動作させることができる。
【００４０】
尚、本実施形態の構成においては、第２バッテリー２０の筐体２に対する装着が不完全であった場合、第２バッテリー２０が充電されず、第２バッテリー２０を使用できない虞がある。しかし、前述したように第１バッテリー１５の充電が不足した場合には、商用電源のない環境で装置を使用するには外付けの第２バッテリー２０が必須であり、第２バッテリー２０の携帯忘れや紛失の際にプリンター１の使用ができない、或いは使用時間が短くなることがある。したがって、第１バッテリー１５の充電を第２バッテリー２０より優先させることにより、商用電源のない環境での使用を考慮した構成とすることができる。
【００４１】
また、プリンター１は、前述した様に、電源アダプター４０のプラグ４１が第１接続部１６に接続されている場合に、第１バッテリー１５に充電を行う第１充電状態と、第２バッテリー２０に充電を行う第２充電状態と、を切り換えることができる。充電状態の切り換えは、プリンター１に設けられる不図示の制御部によって行うことができる。  
第２バッテリー２０が装着状態のプリンター１の第１接続部１６に電源アダプター４０のプラグ４１が接続された際に、第１バッテリー１５及び第２バッテリー２０のいずれか一方が充電を要する充電容量である場合には、充電を要するバッテリーに充電が実行される充電状態に切り換えられる。つまり、第１バッテリー１５に充電を要する場合には第１充電状態とし、第２バッテリー２０に充電を要する場合には第２充電状態とする。
【００４２】
一方、第１バッテリー１５及び第２バッテリー２０の双方が充電を要する充電容量である場合には、第２充電状態よりも優先して第１充電状態に切り換える構成とすることができる。つまり、第１バッテリー１５を第２バッテリー２０よりも優先して充電することができる。このことにより、商用電源のない環境でプリンター１を使用する際に、外付けの第２バッテリー２０の携帯を忘れたり紛失したりした場合でも、より確実に、充電された内蔵の第１バッテリー１５によって装置を動作させることができる。
【００４３】
また、プリンター１の筐体２に第２バッテリー２０を装着した装着状態（図２）において、第１バッテリー１５及び第２バッテリー２０への充電は、ＵＳＢケーブル接続部１７から不図示のＵＳＢケーブルを介して行うこともできる。ＵＳＢケーブル接続部１７から給電する場合も、第１バッテリー１５を第２バッテリー２０よりも優先して充電する構成とすることができる。第１接続部１６とＵＳＢケーブル接続部１７との双方が商用電源と接続されている場合には、第１接続部１６からの給電を、ＵＳＢケーブル接続部１７からの給電よりも優先するように構成することができる。
【００４４】
また、第１バッテリー１５または第２バッテリー２０への充電は、プリンター１における記録動作中に行うことができる。また、記録動作中の充電を行わない構成とすることもできる。本実施形態においては、第１接続部１６からの給電時には、記録動作中の充電を行い、ＵＳＢケーブル接続部１７からの給電時には、記録動作中の充電を行わないように構成されている。
【００４５】
尚、第２バッテリー２０が装着状態のプリンター１において、第１バッテリー１５及び第２バッテリー２０の双方が充電を要する充電容量である場合に、第１充電状態よりも優先して第２充電状態に切り換える構成、つまり、外付けの第２バッテリー２０を内蔵の第１バッテリー１５よりも優先して充電する構成とすることも可能である。
【００４６】
また、第２バッテリー２０は、図７に示す非装着状態において、第２接続部２１に直接電源アダプター４０のプラグ４１を接続して充電することができる。  
第２バッテリー２０は、第２バッテリーの充電状況を表示する「表示手段」として第２表示手段２３を備えている。本実施形態において第２表示手段２３としてはＬＥＤランプが用いられている。第２表示手段２３は、例えば、第２接続部２１にプラグ４１が接続されて充電が開始されたら赤色に点灯し、充電が完了したら緑色の点灯に変わるように構成することができる。また、例えば充電中をランプの点滅状態で表し、充電の完了をランプの点灯状態とする構成とすることもできる。また、ランプを複数設け、点灯するランプの数で充電量を表示することも可能である。以上のような第２表示手段２３により、第２バッテリー２０が充電中か充電完了か等を示し、充電状況を容易に視認することができる。
【００４７】
また、プリンター１の筐体２に設けられる操作部４（図３）には、第１バッテリー１５と第２バッテリー２０との双方の充電状況を表示可能な第１表示手段４ａが設けられている。そして、第２バッテリー２０に設けられる第２表示手段２３（図７）は、第２バッテリー２０の装着状態において視認不可能である位置に配置されている。本実施形態において第２表示手段２３は、第２接続部２１と同様、第２バッテリー２０の接続面２２に設けられているので、第２バッテリー２０の装着状態において視認不可能になる。  
したがって、第２バッテリー２０が筐体２に対する装着状態で、第１接続部１６からの給電により充電される場合には、筐体２側の第１表示手段４ａによって第２バッテリー２０の充電状況を把握することができる。
【００４８】
第１表示手段４ａとしては、例えば液晶パネルを用い、文字により第１バッテリー１５が充電される第１充電状態か、第２バッテリー２０が充電される第２充電状態か、を表示する構成とすることができる。また、第１表示手段４ａにおいて、第１バッテリー１５及び第２バッテリー２０の充電量を表示することができる。  
第１表示手段４ａを、第２表示手段２３と同様、色や点灯状態、点滅状態を変えるＬＥＤランプにより形成することも可能である。
【００４９】
＜＜＜第２バッテリーの構成について＞＞＞
以下、第２バッテリー２０の詳細な構成について説明する。  
図７に示す第２バッテリー２０は、バッテリーケース２０ａと、バッテリーカバー２０ｂと、によって外観が構成されている。バッテリーカバー２０ｂは、筐体２の後方の側面２ｂに接続される接続面２２になる。第２バッテリー２０において、バッテリーカバー２０ｂの−Ｘ方向の端部には、筐体２に設けられる端子接続部１９（図６）に接続される充電端子３０が設けられている。また、バッテリーカバー２０ｂの＋Ｘ方向の端部には、第２バッテリー２０を筐体２に対する装着状態でロックするロック部材３１が設けられている。
【００５０】
図８は、第２バッテリー２０のバッテリーカバー２０ｂを外した状態を示している。バッテリーケース２０ａには、バッテリーパック２４と、バッテリー基板２５が収容されている。符号２６は、第２接続部２１に接続されたプラグ４１の先端が接触する接触部２６である。電源アダプター４０のプラグ４１は、接触部２６を介してバッテリーパック２４と接続され、バッテリーパック２４への充電が行われる。符号２７は、バッテリー基板２５と充電端子３０とを繋ぐ中継部２７である。
【００５１】
第２バッテリー２０の充電端子３０は、図９に示すように第２バッテリー２０を装着状態の姿勢にした場合に、Ｚ軸方向に間隔を空けて配置される複数の凹状部３０ａを備えている。  
図６に示すように、筐体２の後方の側面２ｂの−Ｘ方向側には、側面２ｂよりも一段下がった凹部１８が設けられており、凹部１８に端子接続部１９が設けられている。端子接続部１９は、Ｚ軸方向に間隔を空けて配置される複数の凸状部１９ａを備え、図１２に示すように、複数の凸状部１９ａが複数の凹状部３０ａと嵌合することにより、充電端子３０と接続される。
【００５２】
第２バッテリー２０は、図１１に示すように、凹状部３０ａを筐体２側の凸状部１９ａに向けて−Ｘ方向に挿し込み、凸状部１９ａに凹状部３０ａを嵌合させた後、−Ｘ方向側を軸として矢印Ａ方向に回動させて、側面２ｂと接続面２２（図７を参照）とを対向させるようにして筐体２に装着される。  
第２バッテリー２０は、前述のロック部材３１により、装着状態で筐体２にロックされる。
【００５３】
ロック部材３１は、図１０に示されるように、ロックを解除する際に用いる解除部３１ａと、筐体２の側面２ｂの＋Ｘ方向側に設けられる被係合部１４（図１１）と係合するフック部３１ｂと、を備えている。解除部３１ａとフック部３１ｂとは一体に形成され、Ｘ軸方向に移動可能に構成されている。筐体２側の被係合部１４に、ロック部材３１のフック部３１ｂを係合させることにより、第２バッテリー２０を筐体２に対する装着状態でロックすることができる。ロック部材３１は、ロック状態において、不図示のバネ等の押圧部材により＋Ｘ方向に向けて押圧されており、フック部３１ｂが被係合部１４から外れるのを抑制している。  
装着状態の第２バッテリー２０を筐体２から取り外す場合には、解除部３１ａを−Ｘ方向に押すことにより、フック部３１ｂを押圧部材の押圧力に抗して−Ｘ方向に移動させ、フック部３１ｂを被係合部１４から外すとともにロックを解除することができる。
【００５４】
ここで、第２バッテリー２０の充電端子３０は、充電端子３０を端子接続部１９に接続する際の差し込み方向（−Ｘ方向）と交差するＺ軸方向に変位可能に取り付けられている。つまり、充電端子３０は、Ｘ軸方向に移動する自由度をもって第２バッテリー２０に取り付けられている。
【００５５】
例えば、充電端子３０が第２バッテリー２０に対して完全に固定されていると、例えば、第２バッテリー２０の装着状態でプリンター１に衝撃が加わる等により第２バッテリー２０ががたついた場合に充電端子３０が端子接続部１９に接触し、端子接続部１９がダメージを受ける虞がある。  
本実施形態においては、充電端子３０が、充電端子３０を端子接続部１９に接続する際の差し込み方向（−Ｘ方向）と交差するＺ軸方向に変位可能に取り付けられているので、第２バッテリー２０ががたついた場合に、充電端子３０が端子接続部１９に強く接触することを抑制することができ、以って、充電端子３０が端子接続部１９にダメージを与える虞を低減できる。
【００５６】
プリンター１には、筐体２に第２バッテリー２０を装着しない非装着状態の場合に、端子接続部１９が設けられる凹部１８を含む、筐体２の後方の側面２ｂを覆うように取り付け可能な背面カバーを設けることもできる。
【００５７】
以上の構成は、電子機器はプリンター（記録装置）に限られず、スキャナーに代表される画像読取装置など、内蔵バッテリーと外付けバッテリーとの双方を備える構成とされる他の電子機器に対して採用することができる。
【００５８】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００５９】
１…インクジェットプリンター（電子機器）、２…筐体、３…カバー部材、３ａ…載置面、４…操作部、５…媒体供給部、６…排出部、８…給送手段、９…搬送手段、１０…記録ヘッド、１０ａ…液体吐出面、１１…キャリッジ、１２…インクカートリッジ、１３…支持部材、１４…被係合部、１５…第１バッテリー、１６…第１接続部、１７…ＵＳＢケーブル接続部、１８…凹部、１９…端子接続部、１９ａ…凸状部、２０…第２バッテリー、２０ａ…バッテリーケース、２０ｂ…バッテリーカバー、２１…第２接続部、２２…接続面、２３…第２表示手段、２４…バッテリーパック、２５…バッテリー基板、２６…接触部、２７…中継部、３０…充電端子、３０ａ…凹状部、３１…ロック部材、３１ａ…解除部、３１ｂ…フック部、４０…電源アダプター、４１…プラグ、４２…ケーブル、４３…商用電源用コンセント、Ｐ…媒体
【図１】
2020072520.tif 000003
【図２】
2020072520.tif 000004
【図３】
2020072520.tif 000005
【図４】
2020072520.tif 000006
【図５】
2020072520.tif 000007
【図６】
2020072520.tif 000008
【図７】
2020072520.tif 000009
【図８】
2020072520.tif 000010
【図９】
2020072520.tif 000011
【図１０】
2020072520.tif 000012
【図１１】
2020072520.tif 000013
【図１２】
2020072520.tif 000014